(57)【要約】【課題】  載せた足の足踏みにより動力を得て、揺れずにスムーズに走行できる足漕ぎ動力のスケーターを提供する。【解決手段】  ハンドル２を有するハンドルポスト３とフォークステム４とフォーク５と前輪６からなるハンドル部７と、後輪８と足載せ台１０とその前端から斜め上に突出するハンドル部連結用ステム１５を有する足載せ台部１４とを連結し、足載せ台１０に長方形切欠部２０を設け、足載せ台１０に軸支の回転軸１７に駆動歯車１８を固着し、回転軸１７にペダル軸１９を取付け、ペダル軸１９を足載せ台１０の長方形切欠部２０から後部上方に出し、ペダル軸１９に取付けた足踏ペダル２１の前部と前側の足載せ台１０の間に設けた引張りコイルバネ１４で足踏ペダル２１を常時上方に持上げ、ペダル軸１９の押下げ力をペダル軸１９から駆動歯車１８と前部傘歯車によりとして駆動軸２７に伝え、後部小傘歯車から後輪回転軸３２に固着し後輪８に伝えて動力とする。【選択図】        図１
0003120590.tif 000002
【実用新案登録請求の範囲】
【請求項１】
ハンドル２を上端左右に有するハンドルポスト３とフォークステム４とフォーク５と前輪６とからなるハンドル部７と、後輪８と後輪支持ステム９と後輪支持ステム９上に載置の足載せ台１０と足載せ台前端１１から斜め上方に突出し先端にヘッドパイプ１２を有するヘッドパイプ支持ステム１３とハンドル部連結用ステム１５により接続された足載せ台部１４から形成され、ヘッドパイプ１２の内部にフォークステム４を回転自在に支持することによりハンドル部７と足載せ台部１４を一体化して形成のスケーター１において、足載せ台１０の中央に長方形切欠部２０を形成し、足載せ台１０の下面前端部の左右に下垂した回転軸支持板１６、１６に回転軸１７を軸支し、回転軸１７に左右の駆動歯車１８、１８を固着すると共に各駆動歯車１８に隣接して回転軸１７に回動自在な左右のペダル軸１９、１９を軸支し、ペダル軸１９、１９を足載せ台１０の中央に形成の長方形切欠部２０から後部の斜め上方に出し、足載せ台１０上のペダル軸１９、１９に足踏ペダル２１、２１を取付け、足踏ペダル２１の前部と長方形切欠部２０の前側の足載せ台１０の間に引張りコイルバネ１４を配設して足踏ペダル２１に常時上方へ持上げ力を付与し、ペダル軸１９の押下げ力をペダル軸１９から駆動歯車１８に伝達するラチェット２４をペダル軸１９に設けて１組の駆動機構とし、これらの駆動機構の２組を回転軸１７に並列して設け、これらの２組の駆動歯車１８、１８の各回転を回転軸１７に固着した前部傘歯車２５に伝達し、前部傘歯車２５に直交係合する前部小傘歯車２６を配設し、該前部小傘歯車２６の回転軸を後方に延びる駆動軸２７とし、該駆動軸２７の後端に後部傘歯車２９を配設し、後部傘歯車２９に直交係合する後部小傘歯車３０を後輪回転軸３２に固着し、後輪回転軸３２に後輪８を固着したことを特徴とする足漕ぎ動力のスケーター１。
【請求項２】
ハンドル部７はヘッドパイプ支持ステム１３をハンドル部連結用ステム１５でハンドル部足載せ台部１４に折りたたみ、かつ、ハンドルポスト３にテレスコピック収縮機構３３を配設したことを特徴とする請求項１に記載の足漕ぎ動力のスケーター１。
【考案の詳細な説明】
【技術分野】
【０００１】
この考案は、動力をスケーターに載った人の足踏み動作により得ることのできるハンドル付きの足漕ぎ動力のスケーターに関する。
【背景技術】
【０００２】
前輪の１輪と後輪の１輪とを有し、前輪から立ち上がるハンドルポストを設け、このハンドルポストの上部に有する左右水平に延びるハンドルを回動して自在に方向転換可能で、一方、後輪とハンドルポストに支持された足載せ台に片足を載せ、他の片足で地面を蹴りながら駆動力を得て走るキック式のハンドル付きスケーターが知られている。このハンドル付きスケーターは軽快に走行でき、しかも、場所をとらないので、子供のみならず大人までも一部の人たちに愛用されている。
【０００３】
これらのキック式のハンドル付きスケーターは機構が簡単で軽量であり、ハンドルを折りたたむことで、簡単に手で持ち運ぶことができる。また、ハンドルがあるので、よく知られたスケートボードのように熟練を要せずに、僅かの練習時間で容易に走行することができる。
【０００４】
ところで、このキック式のハンドル付きスケーターに片足を載せて片足で地面を蹴りながら走行する場合、身体は地面を蹴る際には腰を下げ、載せた足の膝を折曲げて蹴るため、短距離ならば問題ないが、少し長距離を走行すると身体が疲れてしまうことが多かった。
【０００５】
このようなキック式のハンドル付きスケーターにおいて、安定に走行できるようにするために後輪を開脚の２輪とし、しかも、不使用時に折りたたんで後輪の開脚の幅を縮めて保管を容易としたものが、考案されている（例えば、特許文献１参照。）。しかし、このものもキック式であるので、上記の問題は解消されていない。
【０００６】
さらに、キック式のハンドル付きスケーターにおいて、車輪に偏心軸を適用し、カム作用で上下運動が走行運動に変更するものが考案されている（例えば、特許文献２参照。）。しかし、このものは上下の揺れの慣性を利用するものであるので、運動訓練具には良くても、スムーズな走行とは言えないものである。
【０００７】
【特許文献１】登録実用新案第３０７０９９２号公報
【特許文献２】登録実用新案第３１０１２７１号公報
【考案の開示】
【考案が解決しようとする課題】
【０００８】
この考案は、スケーターが揺れ動くことがなく、しかも、載せた左右の足を交互に足踏みすることにより動力を得て、スムーズに走行することができる足漕ぎ動力のスケーターを提供することである。
【課題を解決するための手段】
【０００９】
本考案の上記の課題を解決するための手段を以下に記載する。請求項１の手段では、ハンドル２を上端左右に有するハンドルポスト３とフォークステム４とフォーク５と前輪６とからなるハンドル部７と、後輪８と後輪支持ステム９と後輪支持ステム９上に載置の足載せ台１０と足載せ台前端１１から斜め上方に突出し先端にヘッドパイプ１２を有するヘッドパイプ支持ステム１３により接続された足載せ台部１４から形成され、ヘッドパイプ１２の内部にフォークステム４を回転自在に支持することによりハンドル部７と足載せ台部１４を一体化して形成のスケーター１で、このスケーター１は、スケーター本体である足載せ台１０の中央に長方形切欠部２０を形成して有する。
【００１０】
一方、足載せ台１０の下面前端部の左右に回転軸１７を挿通支持する回転軸支持板１６、１６を下向きに立設して有する。この左右の回転軸支持板１６、１６に回転軸１７を軸支し、この回転軸１７に左右に離間して駆動歯車１８、１８を固着する。さらに、各駆動歯車１８に隣接して回転軸１７に回動自在な左右のペダル軸１９、１９を軸支する。これらのペダル軸１９、１９を足載せ台１０の中央に開口して形成の長方形切欠部２０から後部の斜め上方に出し、足載せ台１０上に出たペダル軸１９、１９に足踏ペダル２１、２１を取付ける。この足踏ペダル２１の前部と長方形切欠部２０の前側の足載せ台１０との間に引張りコイルバネ１４を配設して足踏ペダル２１に常時上方へ持上げ力を付与するものとする。
【００１１】
さらに、足踏ペダル２１を足で押し下げたときに生じるペダル軸１９の押下げ力をペダル軸１９から駆動歯車１８に回転運動として変換して伝達するラチェット２４をペダル軸１９に設けて１組の駆動機構とする。各足踏ペダル２１から形成の左右のこれらの駆動機構の２組はそれぞれ左右のラチェット２４が互いに独立して機のする状態で回転軸１７に並列して設けられている。これらの２組の駆動機構から駆動される駆動歯車１８、１８のそれぞれの回転を回転軸１７に固着した前部傘歯車２５に伝達するものとなっている。一方、前部傘歯車２５に直交係合する前部小傘歯車２６を配設しており、この前部小傘歯車２６の回転軸を後方に延びる駆動軸２７とする。この駆動軸２７の後端には、後部傘歯車２９を配設し、後部傘歯車２９に直交係合する後部小傘歯車３０を後輪回転軸３２に固着し、さらに、この後輪回転軸３２に後輪８を固着して、足漕ぎ動力のスケーター１とされている。
【００１２】
さらに、請求項２の手段では、上記の請求項１の手段において、ハンドル部７はヘッドパイプ支持ステム１３をハンドル部連結用ステム１５でハンドル部足載せ台部１４に折りたたみ、かつ、ハンドルポスト３にテレスコピック収縮機構３３を配設したことを特徴とする足漕ぎ動力のスケーター１である。
【考案の効果】
【００１３】
この考案の足漕ぎ動力のスケーターは、左右の足を足踏ペダルに載置して、交互に歩くように足踏ペダルを足で踏むことにより走行力を得て前進でき、しかも、左右の足の踏み込みは左右独立しているので、同時に踏む必要がないので、身体が上下動することなく安定にスムーズに走行でき、さらに、どちらか片方のみで踏んで漕ぐことができるので、疲労が少なく長距離を走行することができる。さらに、不使用時はコンパクトに折りたたむことができるので、場所を取らず搬送も容易であるなど、本考案は優れた効果を奏するものである。
【考案を実施するための最良の形態】
【００１４】
本考案を実施するための最良の形態について、図面を参照しながら以下に説明する。図１は本考案の足漕ぎ動力のスケーターの全体を概略的に示す斜視図である。図２は図１の足漕ぎ動力のスケーターの裏面から見たハンドル部の下半部と足載せ台部の前輪側の斜視図である。図３は図１の足漕ぎ動力のスケーターの裏面から見た足載せ台部の後輪側の斜視図である。
【００１５】
本考案のスケーターは足漕ぎ動力を有するスケーター１で、子供だけでなく大人も載って走行できるスケーター１である。両足でスケーター１の足載せ台部１４に載って、交互に足を足踏み状に上下することで動力を得て走行することができる。これを図１により示すと、スケーター１は前輪６側のハンドル部７と後輪８を最後部に有する足載せ台部１４からなる。このハンドル部７は前輪６の下部からハンドル２までの長さが約８６ｃｍで、足載せ台部１０の大きさは約幅２０ｃｍ×長さ６０ｃｍの足載せ台１０を有し、この足載せ台１０の高さは後輪８の下部から足載せ台１０までが約１４ｃｍである。このハンドル部７と足載せ台部１４は、ハンドル部７側のヘッドパイプ支持ステム１３と足載せ台部１４の前端から突き出すハンドル部連結用ステム１５とで連結されて、足載せ台１０を支持している。この両者の連結は、ヘッドパイプ支持ステム１３とハンドル部連結用ステム１５の両者間に両者を接続係止する上部の係止軸１５ｂのボルトと下部の回転軸１５ｄのボルトにより行うものとしている。
【００１６】
このハンドル部７は、ハンドル２を上端左右に有するハンドルポスト３と、その下のフォークステム４と、フォーク５と、フォーク５の先端に係止された前輪６とからなる。一方足載せ台部１４は、後輪８と後輪支持ステム９と後輪支持ステム９上に載置の足載せ台１０と足載せ台前端１１から斜め上方に突出するハンドル部連結用ステム１５から形成されている。
【００１７】
一方、足載せ台部１４は、図２に示すように、足載せ台１０の下面前端部には、その左右に回転軸支持板１６、１６を下垂して回転軸１７を軸支している。この回転軸１７に左右の駆動歯車１８、１８を固着している。さらに、この駆動歯車１８のそれぞれに隣接して回転軸１７に摺動して回動自在な左右のペダル軸１９、１９を軸支している。この各ペダル軸１９の駆動歯車１８の側部には、取付け金具２３にラチェット取付板２２を係止している。このラチェット取付板２２に弾撥状のラチェット２４を取り付けられ、このラチェット２４の先端の係止部が駆動歯車１８の歯に係合状態に設けられ、ペダル軸１９を押し下げたときのみラチェット２４の先端が駆動歯車１８の歯に係合して駆動歯車１８を矢印方向に回転し、ペダル軸１９が持ち上がるときには、ラチェット２４の先端は駆動歯車１８の歯から外れ、駆動歯車１８が慣性で回転している場合には歯の上を滑って動く。
【００１８】
足載せ台１０の中央には大きさが約１８ｃｍ×３０ｃｍの長方形切欠部２０が開口されている。この長方形切欠部２０から左右のペダル軸１９、１９が斜め上の後部に延びて足載せ台１０の上に出ている。この足載せ台１０上に出たペダル軸１９、１９には取付金具２３でその上に足踏ペダル２１、２１が取付けられている。この各足踏みペダル２１の大きさは長さが約３０ｃｍで、その前半の長さの約１２ｃｍの部分の幅が約７ｃｍで、後半の長さの約１８ｃｍの部分の幅が約１０ｃｍである。すなわち、各足踏みペダル２１の中央の左右の境界部分は直線からなるが、後半部のみ約３ｃｍだけ幅広に側部へ拡がって足載せ台１０の側部上に重なる状態に形成されている。従って、足踏みペダル２１に足を載せて押し下げても足載せ台１０の下に沈むことはなく、安全に載ることができる。
【００１９】
この足載せ台１０上に出た足踏ペダル２１の前部と長方形切欠部２０の前側に位置する足載せ台１０との間に、図１に見られるように、引張りコイルバネ１４を配設して足踏ペダル２１に常時上方へ持上げる持上げ力を付与している。以上に示したように、ペダル軸１９の押下げ力をペダル軸１９から駆動歯車１８に伝達するラチェット２４をペダル軸１９に設け、これらにより１組の駆動機構としている。これらの駆動機構を左右の足踏ペダル２１側から左右の回転軸１７に並列して２組を設け、さらに、これらの２組の駆動歯車１８、１８の各回転を回転軸１７に固着して配設している前部傘歯車２５に伝達している。この前部傘歯車２５は直交係合する前部小傘歯車２６を配設している。この前部小傘歯車２６は後方に延びる駆動軸２７に固着されている。この駆動軸２７はその前部が足載せ台１０から下垂する駆動軸支持板２８に回転自在に軸支され、後部は、図３に示すように、足載せ台１０から下垂する駆動軸後部支持板３１に回転自在に軸支されている。
【００２０】
図３に示すように、駆動軸後部支持板３１から後部に突出する駆動軸２７の後端には後部傘歯車２９が固定して配設されている。この後部傘歯車２９に直交係合する後部小傘歯車３０を後輪回転軸３２に固着している。この後輪回転軸３２はその両端を足載せ台１０から下垂する左右の後輪支持板９、９に回転自在に軸支されている。さらに後輪回転軸３２に後輪８が後部小傘歯車３０に隣接して固着され、後部小傘歯車３０に伝動された回転力で後輪８は駆動されるものとされている。
【００２１】
さらに、上記のスケーター１において、ハンドル部７はハンドルポスト３をやや細い上部ポスト３ａとやや太い下部ポスト３ｂから形成し、上部ポスト３ａを下部ポスト３ｂの中に収納可能としている。このため、下部ポスト３ｂの上端の２箇所に縦方向の細幅の切欠きスリットを形成し、この部分に環状締め具を嵌め、この環状締め具に梃子状のカム係止具３４を設け、このカム係止具３４により上部ポスト３ａを締め付け自在に固定するテレスコピック収縮機構３３としている。
【００２２】
さらに、上記したように、ヘッドパイプ支持ステム１３とハンドル部連結用ステム１５の両者間に両者を接続係止する上部の係止軸１５ｂと下部の回転軸１５ｄを設けている。しかし、このハンドル部連結用ステム１５に両端が鉤状部に形成された弧状のスリット１５ａを設け、この弧状のスリット１５ａに上部の係止軸１５ｂのボルトを挿通し、この係止軸１５ｂの一端に梃子１５ｃを設けて係止軸１５ｂを締め付けおよび緩み自在とする。さらに、図示しないが、ヘッドパイプ支持ステム１３の内部に挿通の上部の係止軸１５ｂと下部の回転軸１５ｄとの間に引張りコイルバネを配設し、上部の係止軸１５ｂをスリット１５ａの端部の鉤状部に引っ張りにより常時嵌めこんでいる。一方、ヘッドパイプ支持ステム１３の背面部には、梃子１５ｃの回動により係止軸１５ｂを緩めたときに弧状のスリット１５ａの鉤状部から内部の引張りコイルバネに抗して上方のスリット１５ａの弧状部側に係止軸１５ｂを移動し易くするための持上げ鉤具が、図示しないが、付設されている。
【００２３】
従って、この足漕ぎ動力のスケーター１を折り畳むときは、ハンドルポスト３のカム係止具３４を回動させて下部ポスト３ｂの上端を緩めて上部ポスト３ａを下部ポスト３ｂの中にテレスコピック状に挿入して縮め、さらに、梃子１５ｃを回動して係止軸１５ｂを緩め、図示しない持上げ鉤具で係止軸１５ｂを前側の鉤部から上方に係止軸１５ｂを移動して弧状のスリット１５ａに嵌込み、ハンドル部７を後方の足載せ台部１４に倒すと、係止軸１５ｂがスリット１５ａを下方に移動し、下部の弧状部に嵌合され、折り畳みは完了する。組み立てるときは、上記の反対の動作により組み立てられ足漕ぎ動力のスケーター１となる。
【図面の簡単な説明】
【００２４】
【図１】本考案の足漕ぎ動力のスケーターの全体を概略的に示す斜視図である。
【図２】図１の足漕ぎ動力のスケーターの裏面から見たハンドル部の下半部と足載せ台部の前輪側の斜視図である。
【図３】図１の足漕ぎ動力のスケーターの裏面から見た足載せ台部の後輪側の斜視図である。
【符号の説明】
【００２５】
１  スケーター
２  ハンドル
３  ハンドルポスト
３ａ  上部ポスト
３ｂ  下部ポスト
４  フォークステム
５  フォーク
６  前輪
７  ハンドル部
８  後輪
９  後輪支持板
１０  足載せ台
１１  足載せ台前端
１２  ヘッドパイプ
１３  ヘッドパイプ支持ステム
１４  足載せ台部
１４ａ  引張りコイルばね
１５  ハンドル部連結用ステム
１５ａ  スリット
１５ｂ  係止軸
１５ｃ  梃子
１５ｄ  回転軸
１６  回転軸支持板
１７  回転軸
１８  駆動歯車
１９  ペダル軸
２０  長方形切欠部
２１  足踏ペダル
２２  ラチェット取付板
２３  取付金具
２４  ラチェット
２５  前部傘歯車
２６  前部小傘歯車
２７  駆動軸
２８  駆動軸支持板
２９  後部傘歯車
３０  後部小傘歯車
３１  駆動軸後部支持板
３２  後輪回転軸
３３  テレスコピック収縮機構
３４  カム係止弁
【図１】
0003120590.tif 000003
【図２】
0003120590.tif 000004
【図３】
0003120590.tif 000005